(57)【要約】【課題】捕捉効率を低下させることなくフィルタを確実に枠体に保持することができ、かつ通風路の断面形状を小さくして設置することができるフィルタ取付構造を提供する。【解決手段】送風路に設置した際に空気流れ方向に沿うようにして山部１ａと谷部１ｂとが交互に連続するようにプリーツ加工され、谷部１ｂの一方側の端部及び山部１ａの他方側の端部に、空気中の異物を捕捉するための集塵面１ｆ，１ｊがそれぞれ形成されたフィルタ１と、送風路に設置した際に空気流入側と空気流出側が連通するように開口したフィルタケース２を備え、フィルタケース２内の両側内壁面近傍に該内壁面に沿って突起状の係止片２ａ，２ｂをそれぞれ形成し、フィルタ１の最両側に位置する外側側面部１ｍ，１ｎを各係止片２ａ，２ｂと内壁面との間に挟み込むように挿入して、フィルタ１をフィルタケース２内に保持する。【選択図】図１
2010148995.tif 000002
【特許請求の範囲】
【請求項１】
送風路に設置した際に空気流れ方向に沿うようにして山部と谷部とが交互に連続するようにプリーツ加工され、前記谷部の一方側の端部及び前記山部の他方側の端部に、前記谷部と山部の長手方向に沿って流れる空気を通過させて空気中の異物を捕捉するための集塵面が一体的にそれぞれ形成されたフィルタと、送風路に設置した際に空気流入側と空気流出側が連通するように開口したフィルタケースを備え、
前記フィルタケース内の空気流れ方向に沿った両側内壁面近傍に該内壁面に沿って突起状の係止片をそれぞれ形成し、前記フィルタの最両側に位置する前記各山部の外側側面部を前記各係止片と前記内壁面との間に挟み込むように挿入して、前記フィルタを前記フィルタケース内に保持することを特徴とするフィルタ取付構造。
【請求項２】
前記谷部の一方側の端部及び前記山部の他方側の端部にそれぞれ形成された前記集塵面は、前記谷部と山部を内側に折り曲げることで形成されることを特徴とする請求項１に記載のフィルタ取付構造。
【発明の詳細な説明】
【技術分野】
【０００１】
本発明は、例えば車両用空気清浄装置などの通風路に設置され、送風ファンで吸込んだ空気中の塵埃や花粉等を捕捉するフィルタのフィルタケースへのフィルタ取付構造に関する。
【背景技術】
【０００２】
車両用空気清浄装置や車両用空調装置などでは、送風ファンで吸込んだ空気中の塵埃や花粉等を除去するフィルタが通風路に設置されている（例えば、特許文献１参照）。前記特許文献１のようなフィルタ構造では、蛇腹状にプリーツ加工されているフィルタ部材の表面（蛇腹状にプリーツ加工されている面）側を空気流れ方向に対して直交するようにして通風路に設置し、通風路に吸込まれた空気がフィルタ部材を通過する際に空気中の塵埃や花粉等を捕捉するものである。
【特許文献１】実開平５−９３９２９号公報
【発明の開示】
【発明が解決しようとする課題】
【０００３】
ところで、特許文献１のようなフィルタ構造では、フィルタの表面（蛇腹状にプリーツ加工されている面）に空気流が当たることによってフィルタ形状が変形するのを防止するために、保持枠部材（支持部）でフィルタ表面の一部を覆うようにして保持しているため、空気流の一部がこの保持枠部材に当たることによって集塵効率が低下する。
【０００４】
また、近年、車両用空気清浄装置や車両用空調装置の小型（コンパクト）化が求められているが、特許文献１のようなフィルタ構造では、フィルタの表面（蛇腹状にプリーツ加工されている面）側を空気流れ方向に対して直交するようにして通風路に設置する構成によって、通風路の断面形状を小さくすることができず、車両用空気清浄装置や車両用空調装置の小型（コンパクト）化が難しかった。
【０００５】
そこで、本発明は、集塵効率を低下させることなくフィルタを確実にフィルタケースに保持することができ、かつ通風路の断面形状を小さくして設置することができるフィルタ取付構造を提供することを目的とする。
【課題を解決するための手段】
【０００６】
前記目的を達成するために請求項１に係る本発明のフィルタ取付構造は、送風路に設置した際に空気流れ方向に沿うようにして山部と谷部とが交互に連続するようにプリーツ加工され、前記谷部の一方側の端部及び前記山部の他方側の端部に、前記谷部と山部の長手方向に沿って流れる空気を通過させて空気中の異物を捕捉するための集塵面が一体的にそれぞれ形成されたフィルタと、送風路に設置した際に空気流入側と空気流出側が連通するように開口したフィルタケースを備え、前記フィルタケース内の空気流れ方向に沿った両側内壁面近傍に該内壁面に沿って突起状の係止片をそれぞれ形成し、前記フィルタの最両側に位置する前記各山部の外側側面部を前記各係止片と前記内壁面との間に挟み込むように挿入して、前記フィルタを前記フィルタケース内に保持することを特徴としている。
【０００７】
請求項２に係る本発明のフィルタ取付構造は、前記谷部の一方側の端部及び前記山部の他方側の端部にそれぞれ形成された前記集塵面は、前記谷部と山部を内側に折り曲げることで形成されることを特徴としている。
【発明の効果】
【０００８】
本発明に係るフィルタ取付構造によれば、フィルタの最両側に設けた各山部の外側側面部を各係止片と内壁面との間に挟み込むように挿入することで、フィルタをフィルタケース内に保持することができるので、フィルタの取付けを容易にかつ確実に行うことができる。更に、本発明に係るフィルタ取付構造によれば、谷部の一方側の端部及び山部の他方側の端部にそれぞれ形成された集塵面で空気中の異物を捕捉する構成により、空気流入側にフィルタ形状の変形防止用の保持枠部材等を設ける必要がないので、集塵効率を低下させることなく、通風路の断面形状を小さくして設置することができる。
【発明を実施するための最良の形態】
【０００９】
以下、本発明を図示の実施形態に基づいて説明する。図１は、本発明の実施形態に係るフィルタ取付構造を示す斜視図、図２は、本発明の実施形態のフィルタを示す斜視図、図３は、本発明の実施形態のフィルタの平面図、図４（ａ）は、本発明の実施形態のフィルタの空気流入側を示す図、図４（ｂ）は、本発明の実施形態のフィルタの空気流出側を示す図である。なお、本実施形態では、車両用空気清浄装置などの送風路に設置されるフィルタの取付構造である。
【００１０】
図１に示すように、蛇腹状にプリーツ加工された不織布等からなるフィルタ１は、前部（空気流入側）２ａと後部（空気流出側）２ｂが連通するように開口した矩形状の樹脂製のフィルタケース２内に取付けられている（フィルタ１のフィルタケース２内へ取付けるフィルタ取付構造の詳細については後述する）。本実施形態におけるフィルタ１は、空気中の塵埃や花粉等を捕捉するための集塵フィルタである。なお、図１において、矢印Ａは空気清浄装置の通風路に設置したときの空気流れ方向である。
【００１１】
フィルタ１は、図１〜図４に示すように、長手方向（空気流れ方向Ａ）に沿って山部（凸部）１ａと谷部（凹部）１ｂとが交互に連続するようにしてひだ折りされており、各谷部１ｂの前部側（図２の左手前側）には、３本の折り線１ｃ，１ｄ，１ｅに沿って中央の折り線１ｄを中心にして上側（内側）に折り曲げるようにしてそれぞれ形成された前部側集塵面１ｆを有している。また、各山部１ａの後部側（図２の右後方側）には、３本の折り線１ｇ，１ｈ，１ｉに沿って中央の折り線１ｈを中心にして下側（内側）に折り曲げるようにしてそれぞれ形成された後部側集塵面１ｊを有している。
【００１２】
即ち、このフィルタ１は、山部１ａと谷部１ｂの長手方向に沿って空気を流し、谷部１ｂの前部側に折り曲げて形成した前部側集塵面１ｆと、山部１ａの後部側に折り曲げて形成した後部側集塵面１ｊに空気を通過させて、通過する空気中から塵埃や花粉等を捕捉する構成である。
【００１３】
フィルタ１の最両側に位置する各山部１ａの外側側面部１ｍ，１ｎは、略垂直面となるように形成されている。また、フィルタケース２内の左右両側の内壁面近傍の下面には、各内壁面に沿って突起状の係止片２ａ，２ｂが形成されている。
【００１４】
次に、フィルタ１の取付構造について説明する。
【００１５】
図４に示すように、フィルタケース２の後部２ｂ（空気流出側）から前記フィルタ１の前部側を挿入する。この際、フィルタ１の外側側面部１ｍ，１ｎを係止片２ａ，２ｂの外側側面と摺動するようにしてフィルタケース２内に挿入することにより、フィルタ１の外側側面部１ｍ，１ｎが、係止片２ａ，２ｂの側面とフィルタケース２の両側内壁面との間に挟み込まれるようにして保持される（図１参照）。
【００１６】
フィルタ１がフィルタケース２内に挿入されると、フィルタ１の各山部（凸部）２ａはフィルタケース２の上部内壁面に接し、フィルタ１の各谷部（凹部）２ｂはフィルタケース２の下部内壁面に接する。
【００１７】
よって、図１に示したように、フィルタ１をフィルタケース２内に挿入するだけで、挿入されたフィルタ１の両側、上部、下部がフィルタケース２内に保持されることにより、フィルタ１の取付けを容易にかつ確実に行うことができる。また、フィルタ１の空気流入側にフィルタ形状の変形防止用の保持枠部材等を設ける必要がないので、前部側集塵面１ｆと後部側集塵面１ｊでの集塵効率の低下がない。
【００１８】
なお、フィルタ１の外側側面部１ｍ，１ｎとフィルタケース２の両側内壁面との間を接着剤等によって固定することにより、より確実にフィルタ１のがたつき等を防止して、フィルタ１をフィルタケース２内に保持固定することができる。
【００１９】
そして、前記フィルタ１を取付けたフィルタケース２は、例えば、図５に示すように、車両用空気清浄装置１０の空気清浄ケース３内に形成された送風路４に設置される。送風路４の空気流れ方向上流側の空気吸入口５近傍には送風ファン６が設置されている。なお、図５において、矢印Ａは空気流れ方向である。フィルタ１（フィルタケース２）は、送風路４にフィルタケース２の前部２ａ（図５の左側）から後部２ｂ（図５の右側）に向けて空気が流れるように設置される。これにより、図１に示したように、フィルタ１の山部１ａと谷部１ｂの長手方向（空気流れ方向Ａ）に沿って空気が流れることにより、フィルタ１の前部側（空気流入側）では各前部側集塵面１ｆ、フィルタ１の後部側（空気流出側）では各後部側集塵面１ｊをそれぞれ通過する空気中から塵埃や花粉等を捕捉する。
【００２０】
前記フィルタ１を有する車両用空気清浄装置１０においては、乗員のスイッチ操作により運転が開始されると、ファンモータＭの回転駆動により送風ファン６が回転し、空気吸入口５から送風路４に空気が導入される。送風路４に導入された空気は、前記したようにフィルタ１の前部側集塵面１ｆ及び後部側集塵面１ｊを通過することにより、空気中の塵埃や花粉等が捕獲され除去される。塵埃や花粉等が除去された空気は空気吹出口７から車室内に吹出される。
【００２１】
このように、本実施形態のフィルタ１は、山部１ａと谷部１ｂの長手方向に沿って空気を流し、谷部１ｂの前部側に折り曲げて形成した前部側集塵面１ｆを設けると共に、山部１ａの後部側に折り曲げて形成した後部側集塵面１ｊを設けたことにより、プリーツ加工されている面を空気流れ方向と直交方向に設置する従来のフィルタ構造に対して、フィルタ１の空気流れ方向と直交する集塵面（空気通過面）の形状を、集塵効率を低下させることなく大幅に小さくすることができる。
【００２２】
よって、フィルタ１を車両用空気清浄装置１０の送風路４に設置する場合に、送風路４の空気流れ方向と直交する空気通過面の断面形状を小さくしてフィルタ１を設置することが可能となり、装置全体の小型（コンパクト）化を図ることができる。
【００２３】
なお、前記車両用空気清浄装置１０は送風路４に集塵フィルタとしての機能を有するフィルタ１のみを有する構成であったが、送風路４にこのフィルタ１以外にも、例えば、光触媒作用により空気中に含まれる有害ガス成分やかび臭成分等を分解する光触媒モジュールなどを設置する構成でもよい。
【００２４】
また、本実施形態では、前記フィルタ１を車両用空気清浄装置１０の送風路４に設置した例であったが、これに限らず、例えば、熱交換器（エバポレータ）を有する車両用空調装置の通風路（ダクト）等にも同様に前記フィルタ１を設置することができる。
【図面の簡単な説明】
【００２５】
【図１】本発明の実施形態に係るフィルタ取付構造を示す斜視図。
【図２】本発明の実施形態のフィルタを示す斜視図。
【図３】本発明の実施形態のフィルタを示す平面図。
【図４】（ａ）は、発明の実施形態に係るフィルタ構造の空気流入側を示す図、（ｂ）は、発明の実施形態に係るフィルタ構造の空気流出側を示す図である。
【図５】本発明の実施形態に係るフィルタ取付構造を示す分解斜視図。
【図６】本発明の実施形態のフィルタを有する車両用空気清浄装置を示す概略構成図。
【符号の説明】
【００２６】
１        フィルタ
１ａ      山部
１ｂ      谷部
１ｆ      前部側集塵面
１ｊ      後部側集塵面
１ｍ，１ｎ      外側側面部
２        フィルタケース
２ａ，２ｂ      係止片
４        送風路
５        空気吸入口
６７        送風ファン
７        空気吹出口
１０      車両用空気清浄装置
【図１】
2010148995.tif 000003
【図２】
2010148995.tif 000004
【図３】
2010148995.tif 000005
【図４】
2010148995.tif 000006
【図５】
2010148995.tif 000007
【図６】
2010148995.tif 000008